(57)【要約】      （修正有）【課題】簡単な構造で確実に開口部材を切り離すことができる流体容器用注出装置を提供すること。【解決手段】カバーキャップ４０に、回動操作により開口部材２８の下側に位置した後、押し上げて切り取る切り離し用カム機構４５を設けて確実に開口部材２８を捩じり上げるようにして切り離し、切り離しカム４６とカバーキャップ４０の押え部材４４とで挟んで切り取り片２８を保持し、カバーキャップ４０と共に取り除く。【選択図】図１
2010208698.tif 000002
【特許請求の範囲】
【請求項１】
流体用容器に基端部が取り付けられるとともに、先端部に切り取り部を介して操作部を備えた開口部材が一体に設けられる注出ノズルと、この注出ノズルに被嵌されるとともに、前記開口部材の操作部と係合させ外側からの回転力を介して前記開口部材を切り取り可能なカバーキャップとを備える流体容器用注出装置であって、
前記カバーキャップに、前記注出ノズルへの被嵌操作では非接触状態にでき、回動操作により前記開口部材の操作部の下側に位置させる切り離し操作部を設け、
この切り離し操作部を前記カバーキャップの回動操作により押し上げて切り取る切り離し用カム機構を前記カバーキャップと前記注出ノズルとの間に設けたことを特徴とする流体容器用注出装置。
【請求項２】
前記切り離し用カム機構を、前記カバーキャップの内面に設けた中央部が高く両側が傾斜した切り離しカムと、この切り離しカムに従動するカムフォロアとなる前記開口部材の操作部下面とで構成したことを特徴とする請求項１記載の流体容器用注出装置。
【請求項３】
前記請求項１記載の切り離し操作部を、前記切り離しカムと兼用して構成したことを特徴とする請求項２記載の流体容器用注出装置。
【請求項４】
前記カバーキャップと前記開口部材との間に、切り取られた開口部材をカバーキャップ内に保持する切り取り片保持手段を設けたことを特徴とする請求項１〜３のいずれかに記載の流体容器用注出装置。
【請求項５】
前記切り取り片保持手段を、前記カバーキャップと前記開口部材とのいずれか一方に形成した凸部といずれか他方に形成した凹部とで構成したことを特徴とする請求項４記載の流体容器用注出装置。
【請求項６】
前記切り取り片保持手段を、前記切り離し操作部と、この切り離し操作部と対向して前記カバーキャップに設けた前記開口部材の操作部上面を押える押え部材とで構成し、前記カバーキャップの切り取り用の回動操作により前記操作部を前記押え部材と前記切り離し操作部とで挟むように構成したことを特徴とする請求項４記載の流体容器用注出装置。
【発明の詳細な説明】
【技術分野】
【０００１】
この発明は流体容器用注出装置に関し、流体が入れられた容器から簡単かつ衛生的に内容物をチューブを取り付けて取り出すことができるようにしたもので、特に病院などの医療機関で使用する経腸栄養剤や流動食あるいは点滴用などの薬液などの流体が入れられたパウチを開口してチューブを介して取り出すのに好適なものである。
【背景技術】
【０００２】
流体の保存容器として従来の缶やビンに代わり合成樹脂製などのボトル状の容器やバッグ状の容器が用いられるようになって来ており、病院などの医療機関で使用する経腸栄養剤や流動食あるいは点滴用などの薬液などの流体もパウチに充填されて使用されることが多い。
【０００３】
このようなパウチから内容液を取り出す場合には、簡単に開口でき、しかも衛生的に取り扱う必要があり、スパウトと呼ばれるノズル状のものを予め容器に取り付けておき、開口とチューブの接続とを容易にできるようにしたものが種々提案されている。
【０００４】
例えば特許文献１には、図8（ａ）の縦断面図および同図（ｂ）のＢ−Ｂ断面図に示すように、容器としての包装袋に封鎖されている筒部１とキャップ２とを有する注出口部材３を取り付け、キャップ２の回転により筒部１を破断するようにして開口することができる注出口部材３が開示されている。
【０００５】
また、特許文献２には、容器用キャップ装置として、容器の先端に注出筒を配置し、この注出筒は元部とテーパ状の胴体部と止め栓とを有し、開封用キャップは止め栓係合部を有して、注出筒に被嵌する際に止め栓と係合するようにしてある。そして、止め栓を切断する際には、止め栓係合部とが係合されている状態で、開封用キャップを注出筒に対して回転する。
【０００６】
これにより、注出筒の口部を開口する際に、手で直接触れることなく、容器内の液体を漏れ出さずに注出することができるようにしている。
さらに、特許文献３には、液体収納容器では、上記の２例と同様に、キャップを回動させて開口するように構成し、開口する場合の回動にともないキャップを相対的に上昇させるカム機構を設け、キャップを取り易くしたものが開示されている。
【先行技術文献】
【特許文献】
【０００７】
【特許文献１】特開２００２−２１１５９３号公報
【特許文献２】特開２００２−２９３３６１号公報
【特許文献３】実用新案登録第２６０５７８９号公報
【発明の概要】
【発明が解決しようとする課題】
【０００８】
このような注出口部材３などでは、いずれもキャップ２を回動することで注出筒１の先端部を切り取り部から切り取って開口することができるものの、図8（ｂ）に示すように、筒部1の切り取る部分とキャップ２とを嵌合状態として回転力が有効に伝わるようにする必要からキャップ２のわずかな回動で切り取り部が破断してしまう一方、筒部1から切り取った部分をキャップ２とともに取り除くためには、切り取る部分とキャップとの嵌合状態を保持する必要がある。
【０００９】
また、内容物を注出する必要があるまでは、衛生上、キャップが外れることがないようにする必要がある一方、開口する場合には、簡単に回動して切り取ることができ、しかも切り取った後はこれを知ってキャップを簡単に取り外すことができるようにする必要がある。
そして、これらの要求を満たすようにすると、キャップの回動防止、キャップの外れ防止、切り取り片の保持などの手段が必要となり、構造が複雑になるなどの問題がある。
【００１０】
この発明は、上記従来技術の課題と要求に鑑みてなされたもので、簡単な構造で不用意に破断が生じて開口することがない流体容器用注出装置を提供しようとするものである。 
また、この発明は、上記従来技術の課題と要求に鑑みてなされたもので、簡単な構造で確実に開口部材を切り離すことができる流体容器用注出装置を提供しようとするものである。
さらに、この発明は、上記従来技術の課題と要求に鑑みてなされたもので、簡単な構造でカバーキャップ内に開口後の切り取り片を確実に保持して一緒に取り除くことができる流体容器用注出装置を提供しようとするものである。
【課題を解決するための手段】
【００１１】
上記従来技術の有する課題と要求を解決するためこの発明の請求項１記載の流体容器用注出装置は、流体用容器に基端部が取り付けられるとともに、先端部に切り取り部を介して操作部を備えた開口部材が一体に設けられる注出ノズルと、この注出ノズルに被嵌されるとともに、前記開口部材の操作部と係合させ外側からの回転力を介して前記開口部材を切り取り可能なカバーキャップとを備える流体容器用注出装置であって、前記カバーキャップに、前記注出ノズルへの被嵌操作では非接触状態にでき、回動操作により前記開口部材の操作部の下側に位置させる切り離し操作部を設け、
この切り離し操作部を前記カバーキャップの回動操作により押し上げて切り取る切り離し用カム機構を前記カバーキャップと前記注出ノズルとの間に設けたことを特徴とするものである。
【００１２】
また、この発明の請求項２記載の流体容器用注出装置は、請求項1記載の構成に加え、前記切り離し用カム機構を、前記カバーキャップの内面に設けた中央部が高く両側が傾斜した切り離しカムと、この切り離しカムに従動するカムフォロアとなる前記開口部材の操作部下面とで構成したことを特徴とするものである。
【００１３】
さらに、この発明の請求項３記載の流体容器用注出装置は、請求項２記載の構成に加え、前記請求項１記載の切り離し操作部を、前記切り離しカムと兼用して構成したことを特徴とするものである。
【００１４】
また、この発明の請求項４記載の流体容器用注出装置は、請求項１〜３のいずれかに記載の構成に加え、前記カバーキャップと前記開口部材との間に、切り取られた開口部材をカバーキャップ内に保持する切り取り片保持手段を設けたことを特徴とするものである。
【００１５】
さらに、この発明の請求項５記載の流体容器用注出装置は、請求項４記載の構成に加え、前記切り取り片保持手段を、前記カバーキャップと前記開口部材とのいずれか一方に形成した凸部といずれか他方に形成した凹部とで構成したことを特徴とするものである。
【００１６】
また、この発明の請求項６記載の流体容器用注出装置は、請求項４記載の構成に加え、前記切り取り片保持手段を、前記切り離し操作部と、この切り離し操作部と対向して前記カバーキャップに設けた前記開口部材の操作部上面を押える押え部材とで構成し、前記カバーキャップの切り取り用の回動操作により前記操作部を前記押え部材と前記切り離し操作部とで挟むように構成したことを特徴とするものである。
【発明の効果】
【００１７】
この発明の請求項１記載の流体容器用注出装置によれば、流体用容器に基端部が取り付けられるとともに、先端部に切り取り部を介して操作部を備えた開口部材が一体に設けられる注出ノズルと、この注出ノズルに被嵌されるとともに、前記開口部材の操作部と係合させ外側からの回転力を介して前記開口部材を切り取り可能なカバーキャップとを備える流体容器用注出装置で、前記カバーキャップに、前記注出ノズルへの被嵌操作では非接触状態にでき、回動操作により前記開口部材の操作部の下側に位置させる切り離し操作部を設け、この切り離し操作部を前記カバーキャップの回動操作により押し上げて切り取る切り離し用カム機構を前記カバーキャップと前記注出ノズルとの間に設けたので、切り離し用カム機構で捩るだけでなく押し上げることができ、確実に開口部材を切り離すことができる。また、カバーキャップを被せる際に開口部材と接触することがなく、生産や組立によって開口部材に応力が加わったり、破損することを防止できる。さらに、カバーキャップが被嵌時に開口部材に接触しないことから金型構造を単純化できる。
【００１８】
また、この発明の請求項２記載の流体容器用注出装置によれば、前記切り離し用カム機構を、前記カバーキャップの内面に設けた中央部が高く両側が傾斜した切り離しカムと、この切り離しカムに従動するカムフォロアとなる前記開口部材の操作部下面とで構成したので、切り離しカム機構を簡単な構造にでき、確実にねじると同時に押し上げて開口部材を切り離すことができる。また、カムの傾斜と中央部の高さとによってカムによる切り離し力を調整でき、低減することもできる。
【００１９】
さらに、この発明の請求項３記載の流体容器用注出装置によれば、切り離し操作部を、前記切り離しカムと兼用して構成したので、構造を一層簡素化することができる。
【００２０】
また、この発明の請求項４記載の流体容器用注出装置によれば、前記カバーキャップと前記開口部材との間に、切り取られた開口部材をカバーキャップ内に保持する切り取り片保持手段を設けたので、切り取られた開口部材をカバーキャップ内に確実に保持することができる。
【００２１】
さらに、この発明の請求項５記載の流体容器用注出装置によれば、前記切り取り片保持手段を、前記カバーキャップと前記開口部材とのいずれか一方に形成した凸部といずれか他方に形成した凹部とで構成したので、簡単な構造で確実に切り取り片を保持できる。
【００２２】
また、この発明の請求項６記載の流体容器用注出装置によれば、前記切り取り片保持手段を、前記切り離し操作部と、この切り離し操作部と対向して前記カバーキャップに設けた前記開口部材の操作部上面を押える押え部材とで構成し、前記カバーキャップの切り取り用の回動操作により前記操作部を前記押え部材と前記切り離し操作部とで挟むように構成したので、切り取り片を押え部材と切り取り操作部で挟むことができ、一層確実に切り取り片を保持し、カバーキャップとともに取り除くことができる。また、ブリッジ状の押え部材などによってカバーキャップの上部が構成されるので、レトルト用の容器とした場合にレトルト水を簡単に抜くことができる。
【００２３】
これら各請求項の構成を組み合わせた流体容器用注出装置によれば、確実に開口部材を切り離すことができると同時に、カバーキャップ内に開口後の切り取り片を確実に保持して一緒に取り除くことができる簡単な構造にすることができる。
【図面の簡単な説明】
【００２４】
【図１】この発明の流体容器用注出装置の一実施の形態にかかり、（ａ）,（ｂ）はそれぞれ注出ノズルにカバーキャップを被せた状態の縦断面図および平面図で、（ａ）は切り取り前の状態を、（ｂ）は切り取り後の状態を示す。
【図２】この発明の流体容器用注出装置の一実施の形態にかかる注出ノズルの左半分のみを切断した縦断面図、平面図および底面図である。
【図３】この発明の流体容器用注出装置の一実施の形態にかかるカバーキャップの直交する２方向の縦断面図、平面図、底面図およびＤ‐Ｄ断面図である。
【図４】この発明の流体容器用注出装置の回動防止手段の他の実施の形態にかかる注出ノズルの平面図およびカバーキャップの横断面図である。
【図５】この発明の流体容器用注出装置の参考例とともに示す他の一実施の形態にかかり、（ａ）,（ｂ），（ｃ）はそれぞれ注出ノズルにカバーキャップを被せた状態の縦断面図，平面図およびＣ−Ｃ断面図で、（ａ）、（ｃ）は切り取り前の状態を、（ｂ）は切り取り後の状態を示す。
【図６】この発明の流体容器用注出装置の参考例とともに示す他の一実施の形態にかかる注出ノズルの左半分のみを切断した縦断面図、平面図および底面図である。
【図７】この発明の流体容器用注出装置の参考例とともに示す他の一実施の形態にかかるカバーキャップのＡ−Ｏ−Ａ断面図、平面図および底面図である。
【図８】従来の注出口部材の縦断面図およびＢ−Ｂ断面図である。
【発明を実施するための形態】
【００２５】
以下、この発明の実施の形態を図面に基づき詳細に説明する。 
【００２６】
この流体容器用注出装置１０は、注出ノズル２０とカバーキャップ４０とを備えて構成され、注出ノズル２０は、図示しないパウチなどの流体用容器に基端部が取り付けられるとともに、先端部に切り取り可能な切り取り部を介して開口部材が一体に設けられる。一方、カバーキャップ４０は、容器に取り付けられた注出ノズル２０に被嵌されるとともに、前記開口部材と係合させ外側からの回転力を介して前記開口部材を切り取ることができるようになっている。
【００２７】
この流体容器用注出装置１０の注出ノズル２０は、図１および図２に示すように、基端部に搬送および容器口部連結のためのガイドとなる基部フランジ部２１を備え、平面形状が横長の略八角形状とされ、この基部フランジ部２１の容器内側に中央部が円弧状に外側に突き出し左右が尖った横長の略ひし形状の連結部２２が設けられており、パウチなどの流体容器の口部と連結部２２とが溶着などで固定できるようになっている。
【００２８】
この注出ノズル２０の基部フランジ部２１の容器外側部分には、中央部に突き出すように略円筒状の注出ノズル本体２３が一体に形成され、中間部に２つのフランジ部２４、２５が設けてある。
【００２９】
これら中間部のフランジ部２４，２５のうち、上方のフランジ部２５より上方に突き出す注出ノズル本体２３部分が開口後のカテーテルやチューブの接続部２６とされて先端部が円錐状に細めてあり、この接続部２６に切り取り用の切り取り部２７を介して切り取るための開口部材２８が一体に成形してある。
【００３０】
この開口部材２８は、注出ノズル本体２３の接続部２６の上部の円板部２９の両側に突き出して切取操作用の操作部３０が形成され、これら操作部３０を中心軸回りに回動したり、下側から押し上げるようにしたり、これら回動および押し上げを組み合わせることなどで、切り取り部２７から切り離して注出ノズル２０の先端を開口することができるようになっている。
【００３１】
一方、このような注出ノズル２０に被せられるカバーキャップ４０は、図１および図３に示すように、注出ノズル本体２３の上方のフランジ部２５に当てられる略円筒状のカバーキャップ本体４１を備えるとともに、その上部に開口部材２８の操作部３０の外側を囲むように配置される２つの対向する横断面コ字状の外筒部４２とこれらと隣接する２つの円錐部４３とが設けられて注出ノズル２０の外側を覆うことができるように形成してある。
【００３２】
そして、カバーキャップ４０の上面は、棒状の押え部材４４が外筒部４２の上端同士を連結するブリッジ状に設けてあり、切り取り前のカバーキャップ４０を被せた状態では開口部材２８の操作部３０の上に平行に配置されるようになっている。
【００３３】
また、このカバーキャップ４０には、切り取り操作のため回動するが、回動を容易にするためカバーキャップ本体４１の外側に指掛け用リブ４１ａが外側に突き出して２箇所設けてある。なお、指掛け用リブ４１ａは、必要に応じてさらに増設するようにしても良い。
【００３４】
このような注出ノズル２０とこれに被せるカバーキャップ４０とで構成される流体容器用注出装置１０では、注出ノズル２０の切り取り部２７を介して設けられる開口部材２８を、カバーキャップ４０を回動することで切り取って開口するため、切り離し用カム機構４５が設けてある。
【００３５】
この切り離し用カム機構４５は、カバーキャップ４０の円錐部４３の内側に中央部が高く両側が傾斜した切り離しカム４６が対向して設けられ、開口部材２８の操作部３０の下面をカムフォロアとし、カバーキャップ４０をその中心軸回りに回動することで、操作部３０を押し上げるようにし、これによって開口部材２８を切り取り部２７から切り離すことができる。
【００３６】
この切り離し操作の際、開口部材２８の操作部３０の下面が切り離しカム４６で押さえられるとともに、上面がブリッジ状の押え部材４４で押さえられ、切り取られた開口部材２８を切り離しカム４６と押え部材４４とで挟んだ状態にする切り取り片保持手段４７が構成され、この切り取り片保持手段４７によりカバーキャップ４０内に切り取り片（開口部材２８）を保持することができ、カバーキャップ４０とともに取り除くことができる。
【００３７】
このような開口部材２８をカバーキャップ４０の回動により切り離しカム４６で押し上げて切り取るようにする場合に、注出ノズル２０とカバーキャップ４０との間に相対回転が生じると、開口が生じる恐れがあることから、この回動を防止する回動防止手段５０が設けてある。
【００３８】
この注出ノズル２０とカバーキャップ４０との回動防止手段５０は、注出ノズル２０の上方の円板状のフランジ部２５の中心軸を挟んで対向する２箇所に平面で切り欠いたノズル平面部５１を形成する一方、カバーキャップ４０の対応するカバーキャップ本体４１の内側に突き出すように２箇所のキャップ平面部５２を形成してある。そして、開口操作前には、ノズル平面部５１とキャップ平面部５２とが面接触して簡単にはカバーキャップ４０を回動できないようにし、開口しようとする力を加えた場合には、カバーキャップ４０の弾性変形でノズル平面部５１を乗越えて回動できるようにしてある。
【００３９】
このようなノズル平面部５１とキャップ平面部５２を設けることで、注出ノズル２０とカバーキャップ４０を組み立てる場合の位置合わせに利用することができ、カバーキャップ４０の円錐部４３および押え部材４４の形状配置と協働し、目印として組立作業を容易にすることができる。
【００４０】
なお、この回動防止手段５０として設けるノズル平面部５１とキャップ平面部５２は、図２および図３に示すように、対向する２箇所に形成する場合のほか、図４（ａ）に示すように、円周等間隔に３箇所としたり、同図（ｂ）に示すように、４箇所とするようにしても良く、さらに増加するようにしても良い。
【００４１】
さらに、回動防止手段５０として機能するカバーキャップ４０のキャップ平面部５２は連続する直線で構成したものに限定されず、例えば図４（ｃ）に示すように、曲面部５３の両端部にキャップ平面部５２を有するものでも良く、この場合の平面部も円周等間隔に２箇所とする場合だけでなくさらに増大するようにしても良い。
【００４２】
このような流体容器用注出装置１０では、カバーキャップ４０の相対回転を防止する必要のほか、カバーキャップ４０が開口操作完了まで軸方向に外れないようにする必要があり、外れ防止手段６０が設けてある。
【００４３】
このカバーキャップ４０の外れ防止手段６０は、注出ノズル２０の上方のフランジ部２５を利用し、その下面にカバーキャップ４０のカバーキャップ本体４１の下端部内側に突き出す係止突部６１を引っ掛けて係止するようにして外れを防止する一方、このフランジ部２５に形成した回動防止手段５０のノズル平面部５１の分だけ外周が切り欠かれていることで、係止突部６１が引っ掛からないようにして係止を開放できるようにしてある。
【００４４】
なお、ノズル平面部５１を設けていない場合には、カバーキャップ本体４１を弾性変形させて引き上げるようにして係止を開放することもできる。
【００４５】
一方、この外れ防止手段６０では、カバーキャップ４０を注出ノズル２０に被せた状態では、係止突部６１が上方のフランジ部２５のノズル平面部５１以外に位置して係止状態とすることができ、カバーキャップ４０を回動して開口部材２８を切り離し用カム４６で切り離して切り離しが完了した状態では、ノズル平面部５１に係止突部６１が位置して開放状態にすることができるようにしてある。
【００４６】
このように、回動防止手段５０のノズル平面部５１をカバーキャップ４０の回動防止に用いると同時に、カバーキャップ４０の外れ防止手段６０の係止突部６１の係止開放に用いるようにして兼用し、これにより、構造を簡素化し、製造も容易にできるようにしている。
【００４７】
さらに、この流体容器用注出装置１０では、カバーキャップ４０を回動することで注出ノズル２０の開口部材２８を切り離して開口が完了した状態で、カバーキャップ４０の外れ防止手段６０の係止が開放されるが、このことを明確に知り、カバーキャップ４０を取り外すことができるようにするため、カバーキャップ取り外しカム機構７０が設けてあり、切り取り完了後、カバーキャップ４０をその中心軸方向外側に移動するようにしてある。
【００４８】
このカバーキャップ取り外しカム機構７０は、カバーキャップ４０の下部内周に下方に突き出した取り外しカム７１が中心軸を挟んで１対形成され、これら取り外しカム７１に対応するカムフォロア７２が注出ノズル２０の上方のフランジ部２５の上面２箇所に突き出して形成してある。
【００４９】
これら取り外しカム７１とカムフォロア７２とで、カバーキャップ４０を回動することで、カバーキャップ４０を軸方向外側に押し上げるようにリフトアップすることができる。
【００５０】
これにより、カバーキャップ４０を注出ノズル２０から取り外して良いことがわかるとともに、カバーキャップ４０の外れ防止手段６０の係止が開放されていることもわかる。
【００５１】
なお、カバーキャップ４０の外れ防止手段６０として、係止突部６１だけを設けノズル平面部５１が設けてない場合には、回動位置によってノズル平面部５１での開放が起こらないが、カバーキャップ４０の取り外しカム７１によってリフトアップさせることで、係止突部６１を弾性変形させて係止を開放することもできる。
【００５２】
このように構成した流体容器用注出装置１０では、図示しない流体容器、例えばパウチの口部に溶着などで取り付けた注出ノズル２０に、図１（ａ）に示すように、カバーキャップ４０を被せるようにし、外れ防止手段６０の係止突部６１を回動防止手段５０のノズル平面部５１以外のフランジ部２５に引っ掛けて係止して取り付けておく。
【００５３】
これにより、カバーキャップ４０は注出ノズル２０から外れることなく保持され、注出ノズル２０を衛生的に保つことができる。
【００５４】
また、この状態では、注出ノズル２０の注出ノズル本体２３の先端部に切り取り部２７を介して一体に設けてある開口部材２８の円板部２９および操作部３０がカバーキャップ４０の外筒部４２および円錐部４３で取り囲まれた状態となるとともに、開口部材２８の上面と注出ノズル本体２３の押え部材４４とが僅かな隙間を隔てた状態になっている。
【００５５】
さらに、回動防止機構５０を構成する注出ノズル２０のノズル平面部５１とカバーキャップ４０のキャップ平面部５２とが面接触した状態となり、僅かな力がカバーキャップ４０に加わる程度では、カバーキャップ４０が回動できず、不用意に開口部材２８が切り取られることが防止される。
【００５６】
また、切り離し用カム機構４５の切り離しカム４６は、開口部材２８の操作部３０から回転方向で９０度離れたところに位置するとともに、キャップ取り外しカム機構７０の取り外しカム７１は、押し上げ前の状態で注出ノズル２０のフランジ部２５のカムフォロア７２と対向し、あるいは接する状態となっている。
【００５７】
次に、流体容器内の内容物（流体）を取り出す場合には、カバーキャップ４０の指掛け用リブ４１ａに指を掛けるなどし、カバーキャップ４０をその中心軸回りに回動するように注出ノズル２０の外側に沿って回動する。 
このとき、回動防止機構５０を構成する注出ノズル２０のノズル平面部５１とカバーキャップ４０のキャップ平面部５２とが面接触した状態となっているので、カバーキャップ４０を弾性変形させノズル平面部５１を乗越えるようにして回動防止機構５０を開放させる。
【００５８】
このカバーキャップ４０の回動により、切り離し用カム機構４５の切り離しカム４６が、まず開口部材２８の両側の操作部３０の下側に入り込み、この後操作部３０の下面との接触が始まり、さらに回動されると、図１（ｂ）に示すように、操作部３０が両側で押し上げられて切り取り部２７から切り取られる。
【００５９】
そして、切り取られた開口部材２８は、切り取り片保持手段４７を構成するカバーキャップ本体４１の押え部材４４および切り離しカム４６で上下が挟まれ、カバーキャップ４０内に確実に保持された状態となる。
【００６０】
また、カバーキャップ４０の回動により、切り離し用カム機構４５の切り離しカム４６が開口部材２８の両側の操作部３０の下側に入り込んだ後、キャップ取り外しカム機構７０の取り外しカム７１とカムフォロア７２との接触が開始されてカバーキャップ４０が押し上げられるようになり、開口部材２８が切り取られた状態になると、注出ノズル２０のフランジ部２５からリフトアップされた状態となる。これと同時に、カバーキャップ４０の外れ防止機構６０の係止突部６１がカバーキャップ４０のリフトアップによる弾性変形とノズル平面部５１に位置することで係止が開放される。
【００６１】
これらにより、カバーキャップ４０が注出ノズル２０のフランジ部２５からリフトアップされた状態では、開口部材２８の切り取りが完了し、カバーキャップ４０の外れ防止機構６０が開放されていることを簡単に知ることができ、注出ノズル２０からカバーキャップ４０を取り外して良いことが分かる。
【００６２】
この後、カバーキャップ４０を取り外すことで、切り取られた開口部材２８もカバーキャップ４０内に保持した状態で取り除くことができる。 
これにより、注出ノズル２０の接続部２６に直接手を触れずに開口することができ、衛生的であり、直ちにチューブなどの接続を行うことができる。なお、切り離しは、切り離し用カム機構４５を使用せずに、キャップ取り外し用カム機構７０のみを使用して行うこともできる。
【００６３】
以上のように、この流体容器用注出装置１０によれば、簡単な構造で、カバーキャップの回動防止、カバーキャップの外れ防止、切り取り片の保持および一体廃棄など必要な機能をすべて備えることができるとともに、衛生的に取り扱うことができる。
【００６４】
次に、この発明の参考例とともに示す他の一実施の形態を、図５〜図７により説明するが、すでに説明した実施の形態と同一部分には同一記号を記し、説明は省略する。
【００６５】
この流体容器用注出ノズル１０Ａでは、注出ノズル２０の開口部材２８をカバーキャップ４０の回動操作による回転だけで切り離すようにし、押し上げ力を加えずに切り離すようにした部分は参考例である。
【００６６】
したがって、この流体容器用注出装置１０Ａの注出ノズル２０の切り取り部２７を介して一体に形成される開口部材２８には、円板部２９の周囲に４箇所の操作部３０が突き出して形成してある。
【００６７】
また、開口部材２８の円板部２９の外側面には、切り取り片保持手段４７を構成する水平の凸条３１が形成してあり、上面には、カバーキャップ４０を支持する円形に窪んだ支持部３２が形成してある。
【００６８】
一方、カバーキャップ４０には、開口部材２８の円板部２９および操作部３０が嵌合される嵌合凹部４８がこれらの平面形状に対応して形成されるとともに、この嵌合凹部４８の内面に開口部材２８の水平の凸条３１に対応する凹溝４９が形成され、凸条３１と凹溝４９とを係合することで、切り取られた開口部材２８をカバーキャップ４０内に保持する他の実施の形態の切り取り片保持手段４７を構成している。
【００６９】
また、カバーキャップ４０のカバーキャップ本体４１の天面内側に下方に突き出す支持突起４１ｂが形成してあり、開口部材２８の支持部３２と係合するようになっている。
【００７０】
なお、この流体容器用注出装置１０Ａの他の構成は、すでに説明した流体容器用注出装置１０と同一であり、同一の構成の回動防止手段５０、外れ防止手段６０、キャップ取り外しカム機構７０を備えている。
【００７１】
このように構成した流体容器用注出装置１０Ａでは、図示しない流体容器、例えばパウチの口部に溶着などで取り付けた注出ノズル２０に、図５（ａ）に示すように、カバーキャップ４０を被せるようにし、外れ防止手段６０の係止突部６１を回動防止手段５０のノズル平面部５１以外のフランジ部２５に引っ掛けて係止して取り付けておく。
これにより、カバーキャップ４０は注出ノズル２０から外れることなく保持され、注出ノズル２０を衛生的に保つことができる。
【００７２】
また、この状態では、切り取り片保持手段の他の構成例として、注出ノズル２０の注出ノズル本体２３の先端部に切り取り部２７を介して一体に設けてある開口部材２８の円板部２９および操作部３０がカバーキャップ４０の嵌合凹部４８に嵌合されるとともに、開口部材２８の凸条３１とカバーキャップ４０の凹溝４９が係合し、開口部材２８が切り取られてもカバーキャップ４０に確実に保持できる状態になっている。
【００７３】
さらに、回動防止機構５０を構成する注出ノズル２０のノズル平面部５１とカバーキャップ４０のキャップ平面部５２とが面接触した状態となり、僅かな力がカバーキャップ４０に加わる程度では、カバーキャップ４０が回動できず、開口部材２８の切り取り部２７の強度による回動を防止する機能と協働して一層確実に不用意に開口部材２８が切り取られることが防止される。
【００７４】
また、カバーキャップ４０のカバーキャップ本体４１の天面内側の支持突起４１ｂが注出ノズル２０の開口部材２８の上面の窪んだ支持部３２と係合し、これらを中心にカバーキャップ４０を回動できるようになっている。
【００７５】
さらに、キャップ取り外しカム機構７０の取り外しカム７１は、押し上げ前の状態で注出ノズル２０のフランジ部２５のカムフォロア７２と隙間をあけて対向し、あるいは接する状態となっている。
【００７６】
次に、流体容器内の内容物（流体）を取り出す場合には、カバーキャップ４０の指掛け用リブ４１ａに指を掛けるなどし、カバーキャップ４０をその中心軸回りに回動するように注出ノズル２０の外周面に沿って回動する。 
このとき、回動防止機構５０を構成する注出ノズル２０のノズル平面部５１とカバーキャップ４０のキャップ平面部５２とが面接触した状態となっているので、カバーキャップ４０を弾性変形させノズル平面部５１を乗越えるようにして回動防止機構５０を開放させる。
【００７７】
このカバーキャップ４０を回動する場合に、注出ノズル２０の支持部３２とカバーキャップ４０の支持突起４１ｂとの係合により、カバーキャップ４０を注出ノズル２０に対して安定して回動させることができる。
【００７８】
また、この流体容器用注出装置１０Ａでは、カバーキャップ４０の回動で、カバーキャップ４０の嵌合凹部４８に嵌合している開口部材２８が回動されて切り取り部２７から切り取られ、注出ノズル２０が開口される。
【００７９】
そして、切り取られた開口部材２８は、切り取り片保持手段４７を構成するカバーキャップ本体４１の凹溝４９と開口部材２８の凸条３１との係合によってカバーキャップ４０内に確実に保持された状態となる。
【００８０】
また、カバーキャップ４０の回動により、キャップ取り外しカム機構７０の取り外しカム７１とカムフォロア７２との接触が開始されてカバーキャップ４０が押し上げられるようになり、開口部材２８が切り取られた状態になると、注出ノズル２０のフランジ部２５からリフトアップされた状態となる。これと同時に、カバーキャップ４０の外れ防止機構６０の係止突部６１がカバーキャップ４０のリフトアップによる弾性変形とノズル平面部５１に位置することで係止が開放される。
【００８１】
これらにより、カバーキャップ４０が注出ノズル２０のフランジ部２５からリフトアップされた状態では、開口部材２８の切り取りが完了し、カバーキャップ４０の外れ防止機構６０が開放されていることを簡単に知ることができ、注出ノズル２０からカバーキャップ４０を取り外して良いことが分かる。
【００８２】
この後、カバーキャップ４０を取り外すことで、切り取られた開口部材２８もカバーキャップ４０内に保持した状態で取り除くことができ、一体として廃棄することができる。
【００８３】
これにより、注出ノズル２０の接続部２６に直接手を触れずに開口することができ、衛生的であり、直ちにチューブなどの接続を行うことができる。
【００８４】
以上のように、この流体容器用注出装置１０Ａによれば、簡単な構造で、カバーキャップの回動防止、カバーキャップの外れ防止、切り取り片の保持および一体廃棄など必要な機能をすべて備えることができるとともに、衛生的に取り扱うことができる。
【００８５】
なお、上記実施の形態では、流体容器の材質や形状については、特に説明していないが、通常の流体用の容器として用いられるものであれば良く、特に合成樹脂製のバッグ状やボトル状のもので、医療用の経腸栄養剤や流動食あるいは点滴用などの薬液が入れられる容器等に好適である。
【００８６】
また、注出装置を構成する注出ノズルやカバーキャップの材質は、特に説明していないが、通常用いられる合成樹脂で良く、例えばポリプロピレンなどが用いられ、射出成形などで成形される。
【符号の説明】
【００８７】
１０，１０Ａ 流体容器用注出装置
２０ 注出ノズル
２１ 基部フランジ部
２２ 連結部
２３ 注出ノズル本体
２４，２５ フランジ部
２６ 接続部
２７ 切り取り部
２８ 開口部材
２９ 円板部
３０ 操作部
３１ 凸条
３２ 支持部
４０ カバーキャップ
４１ カバーキャップ本体
４１ａ 指掛け用リブ
４１ｂ 支持突起
４２ 外筒部
４３ 円錐部
４４ 押え部材
４５ 切り離し用カム機構
４６ 切り離しカム
４７ 切り取り片保持手段
４８ 嵌合凹部
４９ 凹溝
５０ 回動防止手段
５１ ノズル平面部
５２ キャップ平面部
５３ 曲面部
６０ 外れ防止手段
６１ 係止突部
７０ カバーキャップ取り外しカム機構
７１ 取り外しカム
７２ カムフォロア
【図１】
2010208698.tif 000003
【図２】
2010208698.tif 000004
【図３】
2010208698.tif 000005
【図４】
2010208698.tif 000006
【図５】
2010208698.tif 000007
【図６】
2010208698.tif 000008
【図７】
2010208698.tif 000009
【図８】
2010208698.tif 000010